(57)【要約】【課題】プラズマディスプレイ装置などの平板型画像表示装置において、複数種類の画像信号に対応してより柔軟に対応可能な信号入力端子構造を備えた装置を提供する。【解決手段】平板型の表示パネルと、表示駆動回路ブロックと、この表示駆動回路ブロックと画像信号を出力する外部機器との間に接続される入力信号回路ブロックと、これらが収容される筐体とを有し、入力信号回路ブロック１４は、複数種類の画像信号に対応して交換可能な複数種類のボードブロック２３、２４と、筐体内に配置されかつ前記ボードブロック２３、２４を装着するための装着口とボードブロック２３、２４を所定の位置に位置決めするためのガイド部材２５を備えたケース部材２２とで構成し、かつガイド部材２５は最小単位のボードブロック２３に対応させて複数個設けた。【選択図】  図３
2004356981.tif 000002
【特許請求の範囲】
【請求項１】
平板型の表示パネルと、シャーシ部材に配置されかつ前記表示パネルに信号を印加して表示を行う表示駆動回路ブロックと、この表示駆動回路ブロックと画像信号を出力する外部機器との間に接続される入力信号回路ブロックと、これらの表示パネル、表示駆動回路ブロック及び入力信号回路ブロックが収容される筐体とを有し、前記入力信号回路ブロックは、前記表示駆動回路ブロックの信号入力用コネクタに着脱可能に接続される信号出力用コネクタを備えかつ複数種類の画像信号に対応して交換可能な複数種類のボードブロックと、前記筐体内に配置されかつ前記ボードブロックを装着するための装着口を有するとともに前記装着口よりボードブロックを装着したときにボードブロックを所定の位置に案内しながら位置決めするためのガイド部材を備えたケース部材とで構成し、かつ前記ガイド部材は最小単位のボードブロックに対応させて複数個設けたことを特徴とする平板型画像表示装置。
【請求項２】
ボードブロックは外部機器に接続するための接続ケーブルが着脱可能に接続される入力端子部を備えたことを特徴とする請求項１に記載の平板型画像表示装置。
【請求項３】
ガイド部材は一定の間隔で複数個配設したことを特徴とする請求項１に記載の平板型画像表示装置。
【請求項４】
ケース部材は、表示パネルに対してほぼ平行となるように筐体内に配置した請求項１に記載の平板型画像表示装置。
【請求項５】
ボードブロックは、入力信号回路を構成する部品を搭載した回路基板に配置したガイド板を有し、かつケース部材の内壁面に前記ボードブロックのガイド板が嵌め合わされることによりボードブロックを位置決めするガイド部材を配設した請求項１に記載の平板型画像表示装置。
【請求項６】
信号入力用コネクタは、ボードブロックの信号出力用コネクタが装着されるケーシング部と、このケーシング部内に配設され前記ボードブロックの信号出力用コネクタの端子と電気的に接触する端子部とで構成し、かつ前記ケーシング部とボードブロックの信号出力用コネクタとの間に遊びを設けたことを特徴とする請求項１に記載の平板型画像表示装置。
【発明の詳細な説明】
【０００１】
【発明の属する技術分野】
本発明は、大画面で、薄型、軽量のディスプレイ装置として知られているプラズマディスプレイ装置などの平板型画像表示装置に関するものである。
【０００２】
【従来の技術】
プラズマディスプレイ装置は、液晶パネルに比べて高速の表示が可能であり、視野角が広いこと、大型化が容易であること、自発光型であるため表示品質が高いことなどの理由から、平板型画像表示装置の中で最近特に注目を集めており、多くの人が集まる場所での表示装置や家庭で大画面の映像を楽しむための表示装置として各種の用途に使用されている。
【０００３】
一方、プラズマディスプレイ装置は大形の表示装置として各種の用途に使用されることから、信号入力端子構造には、パーソナルコンピュータ、テレビジョンチューナ、ビデオなどの各種の情報信号を含む画像信号を出力する外部機器と接続可能な構成が要求される。
【０００４】
このためプラズマディスプレイ装置においては、必然的に多くの外部信号発生源に接続できるように各種の信号入力端子が設けられているが、一般のユーザー側からすれば、全ての信号入力端子を使用するような使い方は少なく、ほとんどが特定の外部機器のみを接続して使用するため、各種の機器に対応できるように設置された各種の信号入力端子の一部は不要になることがある。
【０００５】
また、ユーザーに応じた信号入力端子を有する複数種類のプラズマディスプレイ装置を製造すればよいが、上述のように各種の用途に使用されるプラズマディスプレイ装置においては、多品種の製品を生産しなければならなくなり、生産効率が悪くなってしまう。
【０００６】
そこで、ユーザーの利用目的に応じた信号入力端子構造を備えたプラズマディスプレイ装置として、特許文献１に示すように、信号入力端子部分を交換可能としたものが考えられ、特許出願されている。
【０００７】
【特許文献１】
特開２００３−１０８０２６号公報
【０００８】
【発明が解決しようとする課題】
本発明はこのようなプラズマディスプレイ装置などの平板型画像表示装置において、複数種類の画像信号に対応してより柔軟に対応可能な信号入力端子構造を備えた装置を簡単に提供できるようにすることを目的とするものである。
【０００９】
【課題を解決するための手段】
上記目的を達成するために本発明は、平板型の表示パネルと、表示駆動回路ブロックと、この表示駆動回路ブロックと画像信号を出力する外部機器との間に接続される入力信号回路ブロックと、これらの表示パネル、表示駆動回路ブロック及び入力信号回路ブロックが収容される筐体とを有し、前記入力信号回路ブロックは、前記表示駆動回路ブロックの信号入力用コネクタに着脱可能に接続される信号出力用コネクタを備えかつ複数種類の画像信号に対応して交換可能な複数種類のボードブロックと、前記筐体内に配置されかつ前記ボードブロックを装着するための装着口を有するとともに前記装着口よりボードブロックを装着したときにボードブロックを所定の位置に案内しながら位置決めするためのガイド部材を備えたケース部材とで構成し、かつ前記ガイド部材は最小単位のボードブロックに対応させて複数個設けたものである。
【００１０】
【発明の実施の形態】
すなわち、本発明の請求項１記載の発明は、平板型の表示パネルと、シャーシ部材に配置されかつ前記表示パネルに信号を印加して表示を行う表示駆動回路ブロックと、この表示駆動回路ブロックと画像信号を出力する外部機器との間に接続される入力信号回路ブロックと、これらの表示パネル、表示駆動回路ブロック及び入力信号回路ブロックが収容される筐体とを有し、前記入力信号回路ブロックは、前記表示駆動回路ブロックの信号入力用コネクタに着脱可能に接続される信号出力用コネクタを備えかつ複数種類の画像信号に対応して交換可能な複数種類のボードブロックと、前記筐体内に配置されかつ前記ボードブロックを装着するための装着口を有するとともに前記装着口よりボードブロックを装着したときにボードブロックを所定の位置に案内しながら位置決めするためのガイド部材を備えたケース部材とで構成し、かつ前記ガイド部材は最小単位のボードブロックに対応させて複数個設けたものである。
【００１１】
また、請求項２に記載の発明は、ボードブロックは外部機器に接続するための接続ケーブルが着脱可能に接続される入力端子部を備えたことを特徴とする。
【００１２】
さらに、請求項３に記載の発明は、ガイド部材は一定の間隔で複数個配設したことを特徴とする。
【００１３】
さらに、請求項４に記載の発明は、ケース部材は、表示パネルに対してほぼ平行となるように筐体内に配置したものである。
【００１４】
また、請求項５に記載の発明は、ボードブロックは、入力信号回路を構成する部品を搭載した回路基板に配置したガイド板を有し、かつケース部材の内壁面に前記ボードブロックのガイド板が嵌め合わされることによりボードブロックを位置決めするガイド部材を配設したものである。
【００１５】
また、請求項６に記載の発明は、信号入力用コネクタは、ボードブロックの信号出力用コネクタが装着されるケーシング部と、このケーシング部内に配設され前記ボードブロックの信号出力用コネクタの端子と電気的に接触する端子部とで構成し、かつ前記ケーシング部とボードブロックの信号出力用コネクタとの間に遊びを設けたことを特徴とする。
【００１６】
以下、本発明の一実施の形態による平板型画像表示装置について、プラズマディスプレイ装置を例に図１〜図１３を用いて説明するが、本発明の実施の態様はこれに限定されるものではない。
【００１７】
まず、プラズマディスプレイ装置について図１を用いて説明する。図１において、平板型の表示パネル１を収容する筐体は、前面枠２と金属製のバックカバー３とから構成され、前面枠２の開口部には光学フィルターおよび表示パネル１の保護を兼ねたガラス等からなる前面カバー４が配置されている。また、この前面カバー４には電磁波の不要輻射を抑制するために、例えば銀蒸着が施されている。さらに、バックカバー３には、表示パネル１等で発生した熱を外部に放出するための複数の通気孔３ａが設けられている。
【００１８】
前記表示パネル１は、アルミニウム等からなるシャーシ部材５の前面に熱伝導シート６を介して接着することにより保持され、そしてシャーシ部材５の後面側には、表示パネル１を表示駆動させるための複数の回路ブロック７が取付けられている。前記熱伝導シート６は、表示パネル１で発生した熱をシャーシ部材５に効率よく伝え、放熱を行うためのものである。また、回路ブロック７は表示パネル１の表示駆動とその制御を行うための電気回路を備えており、表示パネル１の縁部に引き出された電極引出部に、シャーシ部材５の四辺の縁部を越えて延びる複数のフレキシブル配線板（図示せず）によって電気的に接続されている。
【００１９】
また、シャーシ部材５の後面には、回路ブロック７を取り付けたり、バックカバー３を固定するためのボス部７ａがダイカスト等による一体成型により突設されている。なお、このシャーシ部材５は、アルミニウム平板に固定ピンで固定して構成してもよい。
【００２０】
図２はこのような構成のプラズマディスプレイ装置において、バックカバー３を外して内部の配置構造を示す平面図であり、図２においてスキャンドライバ回路ブロック１０は表示パネル１のスキャン電極に所定の信号電圧を供給し、サステインドライバ回路ブロック１１は表示パネル１のサステイン電極に所定の信号電圧を供給し、アドレスドライバ回路ブロック１２は表示パネル１のアドレス電極に所定の信号電圧を供給するもので、スキャンドライバ回路ブロック１０、サステインドライバ回路ブロック１１はシャーシ部材５の幅方向の両端部にそれぞれ配置され、またアドレスドライバ回路ブロック１２はシャーシ部材５の高さ方向の上端部および下端部に配置されている。
【００２１】
制御回路ブロック１３は、テレビジョンチューナ、パーソナルコンピュータ等の外部機器に接続するための接続ケーブルが着脱可能に接続される入力端子部を備えた入力信号回路ブロック１４から送られる画像信号に基づき、画像データを表示パネル１の画素数に応じた画像データ信号に変換してアドレスドライバ回路ブロック１２に供給すると共に、放電制御タイミング信号を発生し、各々スキャンドライバ回路ブロック１０およびサステインドライバ回路ブロック１１に供給し、階調制御等の表示駆動制御を行うもので、シャーシ部材５のほぼ中央部に配置されている。
【００２２】
電源ブロック１５は、前記各回路ブロックに電圧を供給するもので、前記制御回路ブロック１３と同様、シャーシ部材５のほぼ中央部に配置され、電源ケーブル（図示せず）が装着されるコネクタ１６を有する電源入力ブロック１７を通して商用電源電圧が供給される。
【００２３】
フレキシブル配線板１８は、表示パネル１のスキャン電極、サステイン電極の電極引出部とスキャンドライバ回路ブロック１０、サステインドライバ回路ブロック１１のプリント配線板とを接続し、フレキシブル配線板１９は表示パネル１のアドレス電極の電極引出部とアドレスドライバ回路ブロック１２のプリント配線板とを接続するもので、表示パネル１の外周部を通して、前面側より背面側に１８０度湾曲させて引き回して配置している。
【００２４】
図３〜図１０に制御回路ブロック１３と入力信号回路ブロック１４の部分の構成を示しており、以下この部分について詳細に説明する。
【００２５】
制御回路ブロック１３の回路基板２０は、図５、図６に示すように、上述したような所定の制御回路を構成するマイクロコンピュータ、ドライバＩＣ、電気回路部品等が搭載されるもので、これにより制御回路ブロック１３が構成され、またこの制御回路ブロック１３の回路基板２０は、前記表示パネル１とほぼ平行になるようにシャーシ部材５にビス等により固定されている。また、この回路基板２０の端部には、信号入力用のコネクタ２１が配置されており、このコネクタ２１を通して入力信号回路ブロック１４から信号が入力される。
【００２６】
入力信号回路ブロック１４は、図２〜図４に示すように、前記表示パネル１にほぼ平行となるようにシャーシ部材５に配置され、かつ筐体のバックカバー３より外部に開口するように設けた装着口２２ａを有するケース部材２２と、このケース部材２２に装着口２２ａより着脱可能に装着されかつケース部材２２に装着することにより前記制御回路ブロック１３のコネクタ２１に着脱可能に接続される信号出力用のコネクタ２３ａ、２４ａを備えるとともに外部機器に接続するための接続ケーブルが着脱可能に接続される入力端子部２３ｂ、２４ｂ（図では端子を省略している）を備えたボードブロック２３、２４とを有している。
【００２７】
また、ケース部材２２内には、別の外部機器に接続するための接続ケーブルが着脱可能に接続される入力端子を備えた別の入力信号ブロック（図示せず）が内蔵され、前記制御回路ブロック１３に常時接続されている。
【００２８】
前記ケース部材２２は、金属板を折り曲げ加工することにより構成されており、シャーシ部材５側の面には、シャーシ部材５にビスなどで取付けるための取付片２２ｂが任意の個所に一体に設けられ、またこのシャーシ部材５への取付け面よりほぼ直角に立ち上がる面には、上述した装着口２２ａが設けられている。そして、ケース部材２２は、バックカバー３に設けた開口（図示せず）より装着口２２ａを外部に開口させた状態でシャーシ部材５に取付けられる。
【００２９】
また、このケース部材２２の内壁面には、図７に示すように、前記装着口２２ａに対して直交する方向に延長されかつ金属板の折り曲げ加工により成形した突条のガイド部材２５が取付けられ、装着口２２ａよりボードブロック２３、２４をケース部材２２内に装着したときにボードブロック２３、２４を所定の位置に案内しながら位置決めしており、前記制御回路ブロック１３のコネクタ２１にボードブロック２３、２４のコネクタ２３ａ、２４ａが容易に挿入できるようにガイドしている。
【００３０】
ここで、このガイド部材２５において、装着口２２ａ側の一端部には装着口２２ａに向かって徐々に細くなるテーパー部２５ａが設けられ、他端部には突起２５ｂが設けられている。また、このガイド部材２５は、最小単位のボードブロック２３に対応するように、ケース部材２２の内壁面に一定の間隔で複数個（図示のものは３個）配設されている。
【００３１】
さらに、このケース部材２２の内壁面には、ケース部材２２の上面に切り込みを設け、その切り込みにより分離された部分を内側に折り曲げ加工することにより、ボードブロック２３、２４部分と別の入力信号ブロック部分を分離するように立ち上がり壁２２ｃが設けられており、この立ち上がり壁２２ｃを設けることにより別の入力信号ブロック部分が電磁的にシールドされている。
【００３２】
次に、ボードブロック２３、２４について説明すると、それぞれのボードブロック２３、２４は、入力信号回路を構成するＩＣや電気回路部品等の部品が搭載される回路基板２６、２７と、この回路基板２６、２７の上面に取付けられ前記入力信号回路を構成する部品を電磁的にシールドするとともに前記ケース部材２２の内壁面に取付けたガイド部材２５に嵌まり合う凹部によるガイド部２８ａを有するシールド板を兼ねた金属製のガイド板２８と、同じく回路基板２６、２７の下面に取付けられた前記入力信号回路を構成する部品を電磁的にシールドするシールド板２９とを備えている。また、前記ガイド板２８のガイド部２８ａは、ガイド板２８を成形加工して凹部を形成することにより設けられている。
【００３３】
すなわち、ボードブロック２３は最小単位の大きさで、ボードブロック２３には１個のガイド板２８が配設され、ボードブロック２４はボードブロック２３を２個結合した大きさで、ボードブロック２４には２個のガイド板２８が配設されている。
【００３４】
また、回路基板２６、２７の後面側には、コネクタ２３ａ、２４ａの端子を電気的に接続して固定することにより配置され、回路基板２６、２７の前面側には、回路基板２６、２７に電気的に接続された入力端子を配置した入力端子部２３ｂ、２４ｂが設けられ、また入力端子部２３ｂ、２４ｂにはＵ字金具３０が取付けられている。
【００３５】
ここで、図８〜図１０に、ボードブロック２３、２４のコネクタ２３ａ、２４ａと制御回路ブロック１３のコネクタ２１との接続部を拡大して示している。制御回路ブロック１３の信号入力用のコネクタ２１は、雌型のコネクタであり、ボードブロック２３、２４の信号出力用のコネクタ２３ａ、２４ａが装着されるケーシング部２１ａと、このケーシング部２１ａ内に配設され前記ボードブロック２３、２４のコネクタ２３ａ、２４ａの端子と電気的に接触する端子部２１ｂとで構成されている。そして、前記ケーシング部２１ａの内径寸法は、ボードブロック２３、２４のコネクタ２３ａ、２４ａの外径寸法より大きめに構成され、図９、図１０のように、両者の間には遊び３１が設けられている。
【００３６】
以上の実施の形態で説明したように本発明においては、入力信号回路ブロック１４は、表示駆動回路ブロックの信号入力用コネクタ２１に着脱可能に接続される信号出力用コネクタ２３ａ、２４ａを備えかつ複数種類の画像信号に対応して交換可能な複数種類のボードブロック２３、２４と、筐体内に配置されかつ前記ボードブロック２３、２４を装着するための装着口２２ａを有するとともに前記装着口２２ａよりボードブロック２３、２４を装着したときにボードブロック２３、２４を所定の位置に案内しながら位置決めするためのガイド部材２５を備えたケース部材２２とで構成し、かつ前記ガイド部材２５は最小単位のボードブロック２３に対応させて複数個設けたものであり、入力信号回路ブロック１４のボードブロック２３、２４を交換するのみで、ユーザーの利用目的に応じた信号入力端子構造を備えたプラズマディスプレイ装置を提供することができる。
【００３７】
特に、本発明では、ボードブロック２３、２４が着脱可能に装着されるケース部材２２を表示パネル１に対してほぼ平行になるようにシャーシ部材５に取付けているため、ケース部材２２とボードブロック２３、２４とからなる入力信号回路ブロック１４をプラズマディスプレイ装置の背面側の厚みを利用して配置することができ、装置全体の厚みを厚くすることなく、実現することができる。
【００３８】
また、ボードブロック２３、２４は、入力信号回路を構成する部品を搭載した回路基板２６、２７に配置したガイド板２８を有し、かつボードブロック２３、２４が装着されるケース部材２２の内壁面に、前記ガイド板２８を嵌め合わせることによりボードブロック２３、２４を位置決めするガイド部材２５を配設した構成であり、ボードブロック２３、２４を位置決めしてケース部材２２内にスムーズに装填することができる。
【００３９】
さらに、信号入力用コネクタ２１は、ボードブロック２３、２４の信号出力用コネクタ２３ａ、２４ａが装着されるケーシング部２１ａと、このケーシング部２１ａ内に配設され前記ボードブロック２３、２４の信号出力用コネクタ２３ａ、２４ａの端子と電気的に接触する端子部２１ｂとで構成し、かつ前記ケーシング部２１ａとボードブロック２３、２４の信号出力用コネクタ２３ａ、２４ａとの間に遊び３１を設けた構成であり、２個のコネクタ２４ａを有するボードブロック２４のように複数個のボードブロックを結合した場合に、コネクタ２４ａの取付け位置にばらつきがあっても、ボードブロック２４をケース部材２２に装着する際に、コネクタ２４ａに無理な力が働いてコネクタ２４ａが破損することなく、スムーズにコネクタ２４ａをコネクタ２１に装着することができる。
【００４０】
ここで、図１１〜図１３には上記実施の形態とは異なる組み合わせでボードブロックを使用した場合の例を示している。図１１に示す例は、３個の最小単位のボードブロック２３をケース部材２２に装着し、入力信号回路ブロック１４を構成する場合の例である。
【００４１】
図１２に示す例は、２個の最小単位のボードブロックを結合したボードブロック２４のみをケース部材２２に装着し、入力信号回路ブロック１４を構成する場合の例である。この図１２の例では、ボードブロック２４のみをケース部材２２に装着しているため、ケース部材２２の装着口２２ａの一部が開口したままの状態となる。そこで、その開口部分を塞ぐため、蓋３２を併用して取付けている。
【００４２】
図１３に示す例は、３個の最小単位のボードブロックを結合したボードブロック３３をケース部材２２に装着し、入力信号回路ブロック１４を構成する場合の例である。なお、ボードブロック３３は、上述したボードブロック２３、２４と同様に、入力信号回路を構成するＩＣや電気回路部品等の部品が搭載される回路基板３４と、この回路基板３４の上面に取付けられ前記入力信号回路を構成する部品を電磁的にシールドするとともに前記ケース部材２２の内壁面に取付けたガイド部材２５に嵌まり合う凹部によるガイド部２８ａを有するシールド板を兼ねた金属製のガイド板２８と、同じく回路基板３４の下面に取付けられた前記入力信号回路を構成する部品を電磁的にシールドするシールド板２９とを備えている。ボードブロック３３はボードブロック２３を３個結合した大きさで、ボードブロック３３には３個のガイド板２８が配設されている。なお、３３ｂは入力端子部である。
【００４３】
【発明の効果】
以上の説明から明らかなように本発明によれば、入力信号回路ブロックのボードブロックを交換するのみで、ユーザーの利用目的に応じた信号入力端子構造を備えた画像表示装置を提供することができ、またケース部材に対してボードブロックを着脱可能に配置する構成であり、着脱されるボードブロックがケース部材により保持されるため、ボードブロックと制御回路ブロックとの接続部のコネクタ等に応力が集中してコネクタ等が破損したり、接続状態が不安定となったりするのを防ぐことができる。
【図面の簡単な説明】
【図１】本発明の一実施の形態によるプラズマディスプレイ装置の内部の配置構造を示す分解斜視図
【図２】同プラズマディスプレイ装置の内部の配置構造を示す平面図
【図３】同プラズマディスプレイ装置の入力信号回路ブロック部分の構成を示す斜視図
【図４】同分解斜視図
【図５】同入力信号回路ブロックの内部の配置構造を示す平面図
【図６】同入力信号回路ブロックの側面側から見た平面図
【図７】同入力信号回路ブロックのケース部材の要部を示す斜視図
【図８】同入力信号回路ブロックのコネクタ部分を示す断面図
【図９】同じくコネクタ部分を拡大して示す断面図
【図１０】同じくコネクタ部分を拡大して示す平面図
【図１１】本発明のプラズマディスプレイ装置における入力信号回路ブロックの例を示す斜視図
【図１２】本発明のプラズマディスプレイ装置における入力信号回路ブロックの例を示す斜視図
【図１３】本発明のプラズマディスプレイ装置における入力信号回路ブロックの例を示す斜視図
【符号の説明】
１  パネル
２  前面枠
３  バックカバー
５  シャーシ部材
１３  制御回路ブロック
１４  入力信号回路ブロック
２１  コネクタ
２２  ケース部材
２２ａ  装着口
２３、２４、３３  ボードブロック
２３ａ、２４ａ  コネクタ
２５  ガイド部材
２８  ガイド板
３１  遊び
【図１】
2004356981.tif 000003
【図２】
2004356981.tif 000004
【図３】
2004356981.tif 000005
【図４】
2004356981.tif 000006
【図５】
2004356981.tif 000007
【図６】
2004356981.tif 000008
【図７】
2004356981.tif 000009
【図８】
2004356981.tif 000010
【図９】
2004356981.tif 000011
【図１０】
2004356981.tif 000012
【図１１】
2004356981.tif 000013
【図１２】
2004356981.tif 000014
【図１３】
2004356981.tif 000015